【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
被写体像を撮像するための複数の撮像画素と、撮像レンズの瞳の第１領域を通過した光を検出する第１の画素と、前記瞳の前記第１領域とは異なる第２領域を通過した光を検出する第２の画素とを有する固体撮像装置であって、
前記撮像画素の光電変換部と、前記第１の画素の光電変換部および第１のウェルコンタクト領域と、前記第２の画素の光電変換部および第２のウェルコンタクト領域とを含む半導体基板と、
前記第１領域を規定し、かつ、前記第１のウェルコンタクト領域を遮光する第１の遮光部と、
前記第２領域を規定し、かつ、前記第２のウェルコンタクト領域を遮光する第２の遮光部と、
前記第１のウェルコンタクト領域に電気的に接続された第１のコンタクトプラグと、
前記第２のウェルコンタクト領域に電気的に接続された第２のコンタクトプラグと、を備え、
前記第１の画素における前記第１のウェルコンタクト領域の、前記第１の画素に含まれる素子に対する相対位置と、前記第２の画素における前記第２のウェルコンタクト領域の、前記第２の画素に含まれ、前記素子に対応する素子に対する相対位置とが互いに異なる、
ことを特徴とする固体撮像装置。
【請求項２】
前記半導体基板は、前記撮像画素の第３のウェルコンタクト領域を更に含み、
前記固体撮像装置は、前記第３のウェルコンタクト領域に電気的に接続された第３のコンタクトプラグを更に備え、
前記撮像画素における前記第３のウェルコンタクト領域の相対位置は、前記第１の画素における前記第１のウェルコンタクト領域の相対位置および前記第２の画素における前記第２のウェルコンタクト領域の相対位置と異なる、
ことを特徴とする請求項１に記載の固体撮像装置。
【請求項３】
前記第１のコンタクトプラグは、前記第１の遮光部に対して電気的に接続され、前記第２のコンタクトプラグは、前記第２の遮光部に対して電気的に接続されている、
ことを特徴とする請求項１又は２に記載の固体撮像装置。
【請求項４】
前記第１のウェルコンタクト領域は、前記第１の画素の前記光電変換部に配置され、前記第２のウェルコンタクト領域は、前記第２の画素の前記光電変換部に配置されている、
ことを特徴とする請求項１乃至３のいずれか１項に記載の固体撮像装置。
【請求項５】
一部の前記撮像画素は、前記撮像画素が配置されたウェルに電位を供給するためのコンタクトプラグが接続されるウェルコンタクト領域を有しない、
ことを特徴とする請求項１に記載の固体撮像装置。
【請求項６】
前記素子は、リセットトランジスタ、増幅トランジスタ、転送トランジスタ、および、選択トランジスタのいずれか１つであることを特徴とする請求項１乃至５のいずれか１項に記載の固体撮像装置。
【請求項７】
被写体像を撮像するための複数の撮像画素と、撮像レンズの瞳の第１領域を通過した光を検出する第１の画素と、前記瞳の前記第１領域とは異なる第２領域を通過した光を検出する第２の画素とを有する固体撮像装置であって、
前記撮像画素の光電変換部およびウェルコンタクト領域と、前記第１の画素の光電変換部および第１のウェルコンタクト領域と、を含む半導体基板と、
前記第１領域を規定し、かつ、前記第１のウェルコンタクト領域を遮光する第１の遮光部と、
前記ウェルコンタクト領域に電気的に接続されたコンタクトプラグと、
前記第１のウェルコンタクト領域に電気的に接続された第１のコンタクトプラグと、を備え、
前記撮像画素における前記ウェルコンタクト領域の、前記撮像画素に含まれる素子に対する相対位置と、前記第１の画素における前記第１のウェルコンタクト領域の、前記第１の画素に含まれ、前記素子に対応する素子に対する相対位置とが互いに異なる、
ことを特徴とする固体撮像装置。
【請求項８】
前記第１のコンタクトプラグは、前記第１の遮光部に対して電気的に接続されている、
ことを特徴とする請求項７に記載の固体撮像装置。
【請求項９】
前記第１のウェルコンタクト領域は、前記第１の画素の前記光電変換部と同じ活性領域に配置されている、
ことを特徴とする請求項７または８に記載の固体撮像装置。
【請求項１０】
一部の前記撮像画素は、前記撮像画素が配置されたウェルに電位を供給するためのコンタクトプラグが接続されるウェルコンタクト領域を有しない、
ことを特徴とする請求項７に記載の固体撮像装置。
【請求項１１】
前記素子は、リセットトランジスタ、増幅トランジスタ、転送トランジスタ、および、選択トランジスタのいずれか１つであることを特徴とする請求項７乃至１０のいずれか１項に記載の固体撮像装置。
【請求項１２】
前記第１の画素と前記第２の画素とが位相差検出のための対をなす、
ことを特徴とする請求項１乃至１１のいずれか１項に記載の固体撮像装置。
【請求項１３】
請求項１乃至１２のいずれか１項に記載の固体撮像装置と、
前記固体撮像装置から出力される信号を処理する処理部と、
を備えることを特徴とするカメラ。
【手続補正２】
【補正対象書類名】明細書
【補正対象項目名】０００６
【補正方法】変更
【補正の内容】
【０００６】
本発明の１つの側面は、被写体像を撮像するための複数の撮像画素と、撮像レンズの瞳の第１領域を通過した光を検出する第１の画素と、前記瞳の前記第１領域とは異なる第２領域を通過した光を検出する第２の画素とを有する固体撮像装置に係り、前記撮像画素の光電変換部と、前記第１の画素の光電変換部および第１のウェルコンタクト領域と、前記第２の画素の光電変換部および第２のウェルコンタクト領域とを含む半導体基板と、前記第１領域を規定し、かつ、前記第１のウェルコンタクト領域を遮光する第１の遮光部と、前記第２領域を規定し、かつ、前記第２のウェルコンタクト領域を遮光する第２の遮光部と、前記第１のウェルコンタクト領域に電気的に接続された第１のコンタクトプラグと、前記第２のウェルコンタクト領域に電気的に接続された第２のコンタクトプラグと、を備え、前記第１の画素における前記第１のウェルコンタクト領域の、前記第１の画素に含まれる素子に対する相対位置と、前記第２の画素における前記第２のウェルコンタクト領域の、前記第２の画素に含まれ、前記素子に対応する素子に対する相対位置とが互いに異なる。
【手続補正３】
【補正対象書類名】明細書
【補正対象項目名】０００７
【補正方法】変更
【補正の内容】
【０００７】
本発明の別の側面は、被写体像を撮像するための複数の撮像画素と、撮像レンズの瞳の第１領域を通過した光を検出する第１の画素と、前記瞳の前記第１領域とは異なる第２領域を通過した光を検出する第２の画素とを有する固体撮像装置に係り、前記撮像画素の光電変換部およびウェルコンタクト領域と、前記第１の画素の光電変換部および第１のウェルコンタクト領域と、を含む半導体基板と、前記第１領域を規定し、かつ、前記第１のウェルコンタクト領域を遮光する第１の遮光部と、前記ウェルコンタクト領域に電気的に接続されたコンタクトプラグと、前記第１のウェルコンタクト領域に電気的に接続された第１のコンタクトプラグと、を備え、前記撮像画素における前記ウェルコンタクト領域の、前記撮像画素に含まれる素子に対する相対位置と、前記第１の画素における前記第１のウェルコンタクト領域の、前記第１の画素に含まれ、前記素子に対応する素子に対する相対位置とが互いに異なる。